(57)【要約】【課題】用紙が収納されたシートファイルを効率よく得る。【解決手段】１枚以上のシートＳを用いて対向シート片の１縁辺以上が開放され、他の縁辺が連結されたシートファイルに加工するシートファイル加工部（折り部３３、溶着部３４）と、加工終了前のシートファイルに対し、所定位置に用紙Ｐを配置する用紙配置部（スタック部３２）と、シートＳを搬送するシート搬送部（搬送部３１）と、用紙Ｐを搬送する用紙搬送部（搬送部３１）を備え、前記シートファイル加工部はシート片同士を接着する接着部（溶着部３４）を備え、用紙配置部は前記接着処理前に用紙配置を行うもので、接着位置を基準にして用紙Ｐが接着位置と干渉しないように用紙配置位置が設定されているので、シートファイルの加工に際しシートファイルに収納する用紙を配置して用紙を収納した状態で加工したシートファイルを効率よく得ることができる。【選択図】図１
2012101891.tif 000002
【特許請求の範囲】
【請求項１】
１枚または複数枚のシートを用いて対向するシート片の少なくとも１縁辺が開放され、他の縁辺が連結されたシートファイルに加工するシートファイル加工部と、加工終了前の前記シートファイルに対し、所定の位置に用紙を配置する用紙配置部と、前記シートを搬送するシート搬送部と、前記用紙を搬送する用紙搬送部とを備え、
前記シートファイル加工部は、前記シート片の連結をシート片同士の接着によって行う接着部を備え、
前記用紙配置部は、前記シート片同士の接着処理前に前記用紙の配置を行うものであり、前記シート片の接着位置を基準にして前記用紙が前記接着位置と干渉しないように該用紙の配置位置が設定されていることを特徴とするシートファイル処理装置。
【請求項２】
前記用紙配置部は、前記接着位置と反対側のシートファイル端部に用紙端部を揃えるように前記用紙の配置位置が設定されていることを特徴とする請求項１記載のシートファイル処理装置。
【請求項３】
前記シートファイル加工部は、前記シートを折り曲げ、折り曲げられて対向するシート片の縁辺を連結した状態にする折り部を備えることを特徴とする請求項１または２に記載のシートファイル処理装置。
【請求項４】
前記用紙搬送部によって搬送される用紙をスタックする用紙スタック部を備えることを特徴とする請求項１〜３のいずれか１項に記載のシートファイル処理装置。
【請求項５】
前記用紙配置部は、前記用紙スタック部を兼ねるものであることを特徴とする請求項４に記載のシートファイル処理装置。
【請求項６】
前記シート搬送部によって搬送されるシートをスタックするシートスタック部を備えることを特徴とする請求項１〜５のいずれか１項に記載のシートファイル処理装置。
【請求項７】
前記用紙のスタックおよび前記シートのスタックを行う共通のスタック部を備えることを特徴とする請求項１〜６のいずれか１項に記載のシートファイル処理装置。
【請求項８】
前記シートを収納して前記シート搬送部に給送するシート収納部を備えることを特徴とする請求項１〜７のいずれか１項に記載のシートファイル処理装置。
【請求項９】
前記シートファイルの加工に際し、加工終了前の前記シートファイルに対し用紙を配置するモードと、用紙配置を行うことなくシートファイルの加工を終了するモードとを有し、これらモードの選択が可能であることを特徴とする請求項１〜８のいずれか１項に記載のシートファイル処理装置。
【請求項１０】
画像データに基づいて用紙に画像形成を行い、該用紙を排紙する画像形成装置に接続されており、前記用紙搬送部は、該画像形成装置から排紙される前記用紙を受けて搬送するものであることを特徴とする請求項１〜９のいずれか１項に記載のシートファイル処理装置。
【請求項１１】
画像データに基づいて前記用紙に画像形成を行い、該用紙を排紙する画像形成装置と、請求項１０記載のシートファイル処理装置とを備えることを特徴とする画像形成システム。
【発明の詳細な説明】
【技術分野】
【０００１】
この発明は、対向するシート片間に書類などの用紙を挟んで収納するシートファイルを加工するシートファイル処理装置および該シートファイル処理装置を備える画像形成システムに関するものである。
【背景技術】
【０００２】
クリアファイルなどのシートファイルでは、対向するシート片の少なくとも一縁片を開放し、他の縁片を連結した状態にして書類などの用紙の出し入れを可能にしており、書類の整理や資料の取り纏めなどに活用されている。また、使い勝手を良くするために、第３のシート片を設けて収納部分を増やしたシートファイルも提案されている（特許文献１参照）。
上記シートファイルは、通常は一枚のシートを折り曲げて対向するシート片の一縁片を接着することで工業的に製造されており、Ｚ折り葉書などの製造と同様の工程が採用されている（例えば特許文献２参照）。該シートファイルを使用する場合は、該シートファイルを入手した利用者が所望の書類などの用紙を適宜ファイル内に挿入したり取り出したりして利用する。
【先行技術文献】
【特許文献】
【０００３】
【特許文献１】特開２００９−２６２５１６号公報
【特許文献２】特開２００５−３３５３２０号公報
【発明の概要】
【発明が解決しようとする課題】
【０００４】
ところで、シートファイルを多数用意して、該シートファイル内に同じ書類を収納して配布したい場合がある。この場合、空の多数のシートファイルに同じ書類をそれぞれ挿入して準備する必要があり、挿入作業を人手に頼らざるを得ず、作業効率が悪いという問題がある。また、画像形成装置によって印刷した用紙をシートファイルに挿入する場合にも、一旦印刷した用紙を排紙した後、前記手作業に備えて供給することが必要であり、同様に作業効率が悪い。
【０００５】
本発明は上記事情を背景としてなされたものであり、シートファイルを加工する際に、加工処理とともに用紙の収納を行うことを可能にするシートファイル処理装置および画像形成装置で印刷した用紙をシートファイル処理に供給可能な画像形成システムを提供することを目的とする。
【課題を解決するための手段】
【０００６】
すなわち、本発明のシートファイル処理装置のうち第１の本発明は、１枚または複数枚のシートを用いて対向するシート片の少なくとも１縁辺が開放され、他の縁辺が連結されたシートファイルに加工するシートファイル加工部と、加工終了前の前記シートファイルに対し、所定の位置に用紙を配置する用紙配置部と、前記シートを搬送するシート搬送部と、前記用紙を搬送する用紙搬送部とを備え、
前記シートファイル加工部は、前記シート片の連結をシート片同士の接着によって行う接着部を備え、
前記用紙配置部は、前記シート片同士の接着処理前に前記用紙の配置を行うものであり、前記シート片の接着位置を基準にして前記用紙が前記接着位置と干渉しないように該用紙の配置位置が設定されていることを特徴とする。
【０００７】
第１の本発明によれば、シートファイル加工部によってシートからシートファイルに加工する際に、加工終了前のシートファイルに対し収納する用紙を容易かつ効率よく配置して用紙を収納した状態の加工済みのシートファイルを効率よく得ることができる。
【０００８】
開放された縁辺を除く他の縁辺の一部または全部を接着部によって接着してシート片同士の連結を行う。接着部は、接着剤を用いた接着や、加熱による接着、超音波による接着などを行うものによって構成することができる。また、複数の縁片の一部を接着する場合、他の縁片は後述する折り曲げなどによって連結状態を得るものであってもよく、異なる縁片によっては接着方法が異なるものであってもよい。
【０００９】
また、本発明によれば、加工終了前のシートファイルに対し用紙を配置する際に、その後の処理で行われるシート片同士の縁辺接着に用紙がかみこまれてシート片同士の接着が不良になったり、収納されている用紙に汚れや損傷が生じたりするのを回避でき、接着処理を円滑に行うことができる。
【００１０】
第２の本発明のシートファイル処理装置は、前記第１の本発明において、前記用紙配置部は、前記接着位置と反対側のシートファイル端部に用紙端部を揃えるように前記用紙の配置位置が設定されていることを特徴とする。
【００１１】
第２の本発明によれば、接着に際し、用紙が接着予定縁片と干渉するのを確実に防止でき、さらには、用紙がシートファイルからはみ出て配置されるのを回避できる。
シート片は、通常、用紙よりも大きいサイズで形成されており、この発明の配置位置によって上記干渉が防止される。
【００１２】
第３の本発明のシートファイル処理装置は、前記第１または第２の本発明において、前記シートファイル加工部は、前記シートを折り曲げ、折り曲げられて対向するシート片の縁辺を連結した状態にする折り部を備えることを特徴とする。
【００１３】
第３の本発明によれば、対向するシート片を、折り曲げられた縁片によって連結された状態にすることができる。
【００１４】
第４の本発明のシートファイル処理装置は、前記第１〜第３の本発明のいずれか１項において、前記用紙搬送部によって搬送される用紙をスタックする用紙スタック部を備えることを特徴とする。
【００１５】
第４の本発明によれば、一枚または複数枚の用紙を用紙スタック部でスタックして、用紙配置に備えることができ、また、スタックと同時に用紙配置がなされるものであってもよい。
【００１６】
第５の本発明のシートファイル処理装置は、前記第４の本発明において、前記用紙配置部は、前記用紙スタック部を兼ねるものであることを特徴とする。  
【００１７】
第５の本発明によれば、用紙のスタックと同時にシートファイルに対する用紙配置がなされる。
【００１８】
第６の本発明のシートファイル処理装置は、前記第１〜第５の本発明のいずれか１項において、前記シート搬送部によって搬送されるシートをスタックするシートスタック部を備えることを特徴とする。
【００１９】
第６の本発明によれば、シートファイルに加工するシートをスタックして加工に備えることができる。
【００２０】
第７の本発明のシートファイル処理装置は、前記第１〜第６の本発明のいずれか１項において、前記用紙のスタックおよび前記シートのスタックを行う共通のスタック部を備えることを特徴とする。
【００２１】
第７の本発明によれば、共通のスタック部において、用紙のスタックとシートのスタックとを行うことができる。該スタックに際し前記用紙の配置がなされるものであってもよい。
【００２２】
第８の本発明のシートファイル処理装置は、前記第１〜第７の本発明のいずれか１項において、前記シートを収納して前記シート搬送部に給送するシート収納部を備えることを特徴とする。
【００２３】
第８の本発明によれば、シート収納部に収納したシートを給送してシートファイルの加工に供することができる。
【００２４】
第９の本発明のシートファイル処理装置は、前記第１〜第８の本発明のいずれか１項において、前記シートファイルの加工に際し、加工終了前の前記シートファイルに対し用紙を配置するモードと、用紙配置を行うことなくシートファイルの加工を終了するモードとを有し、これらモードの選択が可能であることを特徴とする。
【００２５】
第９の本発明によれば、シートファイルの加工に際し、用紙を挿入してシートファイルを加工するか、用紙を挿入することなくシートファイルを加工するかを選択することができ、要望に応じたシートファイルの加工を行うことができる。
【００２６】
第１０の本発明のシートファイル処理装置は、前記第１〜第９の本発明のいずれか１項において、画像データに基づいて用紙に画像形成を行い、該用紙を排紙する画像形成装置に接続されており、前記用紙搬送部は、該画像形成装置から排紙される前記用紙を受けて搬送するものであることを特徴とする。
【００２７】
第１０の本発明によれば、画像形成装置で画像形成された用紙をインラインで受けてシートファイルの加工とともに該シートファイルへの用紙の収納を行うことができる。
【００２８】
第１１の画像形成システムは、画像データに基づいて前記用紙に画像形成を行い、該用紙を排紙する画像形成装置と、第１０の本発明のシートファイル処理装置とを備えることを特徴とする。  
【００２９】
第１１の本発明によれば、画像形成した用紙をインラインで加工したシートファイルに収納することができる。
【発明の効果】
【００３０】
本発明によれば、シートファイルの加工に際し、該シートファイルに収納する用紙を配置して用紙を収納した状態で加工したシートファイルを得ることができ、人手を要することなく用紙を収納したシートファイルを効率よく得ることができ、ファイリング作業工数を削減することができる。
【図面の簡単な説明】
【００３１】
【図１】この発明の一実施形態におけるシートファイル処理装置および画像形成システムを示す図である。
【図２】同じくスタック部の概略を示す平面図である。
【図３】同じくスタック部の概略を示す側面図である。
【図４】同じく折り部を示す概略図である。
【図５】同じく溶着部を示す概略図である。
【図６】同じく折り部で折り処理されたシートファイルを示す図（ａ）と、溶着部で溶着処理されたシートファイルを示す図（ｂ）である。
【図７】この発明の他の実施形態におけるシートファイル処理装置を示す図である。
【図８】同じくシートのスタック、用紙の配置、シートの折り処理、溶着されたシートファイルを示す概略図である。
【図９】同じくシートファイル処理装置における処理手順を示すフロー図である。
【図１０】同じく他のシートファイル処理装置における処理手順を示すフロー図である。
【発明を実施するための形態】
【００３２】
以下に、本発明の一実施形態を説明する。
図１は、画像形成装置１０と、シート供給装置２０と、シートファイル処理装置３０とが順次接続された画像形成システム１の概略を示すものであり、シートファイル処理装置３０は、画像形成装置１０に対する後処理装置として備えられている。
【００３３】
画像形成装置１０は、用紙を収納する給紙トレイ２と、該給紙トレイ２から用紙を給紙して搬送する給紙搬送部３と、該給紙搬送部３によって搬送される用紙に画像形成を行う画像形成部４と、画像形成された用紙の定着を行う定着部５と、操作者による操作入力および情報の表示がなされる操作表示部６と、画像形成装置１０全体を制御する画像形成制御部７とを備えている。上記定着部５で定着された用紙は、後段のシート供給装置２０に排紙される。
【００３４】
シート供給装置２０は、シートファイルに加工するシートを収納するシートトレイ２１と、該シートトレイ２１からシートを給送して搬送し、後段のシートファイル処理装置３０に排出するシート給送搬送部２２と、前記画像形成装置１から排出される用紙を搬送して後段のシートファイル処理装置３０に排出する用紙搬送部２３とを備えている。シート供給装置２０は、前記画像形成制御部７によって動作制御がなされる。
【００３５】
シートファイル処理装置３０は、シート供給装置２０から排出される用紙およびシートが搬送される搬送部３１を有し、該搬送部３１は、本発明の用紙搬送部およびシート搬送部に相当する。
シートファイル処理装置３０は、用紙およびシートをスタックする共通の機構を有するスタック部３２、シートの折り処理を行う折り部３３、シート片の縁片を溶着する溶着部３４、シートファイルを装置外に排出する排出部３５を備えている。
搬送部３１は、スタック部３２、折り部３３、溶着部３４、排出部３５に順次、用紙、シートを搬送する。
また、シートファイル処理装置３０には、該シートファイル処理装置３０全体を制御するシートファイル処理制御部３６を備えており、該シートファイル処理制御部３６は、前記画像形成装置１０における画像形成制御部７の制御指令を受ける。
【００３６】
なお、この実施形態では、シートファイル処理装置３０とは別にシート供給装置２０を備えるものとして説明したが、本発明としてはシートファイル処理装置３０内にシートが収容されて、該装置内でシートが供給されるものであってもよい。また、この実施形態では、前記のようにシートファイル処理装置３０が画像形成装置１０の後処理装置として使用されているが、シートファイル処理装置が単独の装置として使用されるものであってもよい。この場合、シートファイル処理装置内に用紙を収納して給紙するようにしてもよく、シートファイル処理装置外に用紙を給紙する装置を接続するようにしてもよい。
【００３７】
この実施形態のスタック部３２は、図２、３に示すように、用紙ＰのスタックとシートＳのスタックとに対する共通した機構を有しており、用紙スタック部およびシートスタック部を兼用する。
スタック部３２には、前方ガイド板３２０と一側方にある側方ガイド板３２１とを備えており、前方ガイド板３２０と側方ガイド板３２１とが一端縁同士を略同位置にして直交して配置されている。また、前記前方ガイド板３２０と前記側方ガイド板３２１との交差部分に向けて斜め前方方向に送り方向が設定された可動送りローラ３２２、３２３が送り方向において位置を異にして配置されている。
【００３８】
また、スタック部３２には、図３に示すように、前記前方ガイド板３２０側に向けてシートを送るシート入口ローラ３２４と、前方ガイド板３２０の前方側から後方側に向けて用紙を送る用紙入口ローラ３２５とを備えている。
シートファイル処理装置３０に送られたシートＳおよび用紙Ｐは、搬送部３１で搬送され、シート入口ローラ３２４、用紙入口ローラ３２５で送られてスタック部３２に導入される。スタック部３２では、可動送りローラ３２２、３２３が下降して、シートＳまたは用紙Ｐを前記送り方向に送ることで、前方ガイド板３２０および側方ガイド板３２１の内面で位置決めされつつスタックされる。
【００３９】
スタック部３２にシートＳおよび所定枚数の用紙Ｐがスタックされると、用紙Ｐは、シートＳに対し、前方ガイド板３２０、側方ガイド板３２１の当たり面を基準にして配置されることになる。したがって、スタック部３２は、本発明の用紙配置部としての機能を有している。なお、用紙Ｐの配置位置は、溶着部３４で溶着されるシート片の溶着位置とは反対側に位置する前記基準側に用紙端縁が揃うようになっている。
また、スタック部３２には、スタックされたシートＳおよび用紙Ｐを上下に挟んで折り部３３にまで搬送する対の挟み部３２６を備えている。
【００４０】
上記スタック部３２から挟み部で挟まれつつ搬送されるシートＳおよび用紙Ｐは、図４に示すように、折り部３３に搬送され、所定位置に配置される。折り部３３では、支持台３３０と、押し当て部３３１、受け部３３２が備えられており、押し当て部３３１と受け部３３２の先端位置を合わせ、該先端位置にシートＳの中央位置を合わせて両者間にシートＳと用紙Ｐ（図４では用紙Ｐは省略）とを配置する。
【００４１】
折り部３３では、押し当て部３３１が前記押し当て部３３１と受け部３３２の先端位置付近を中心に回転可能になっており、シートＳに対し支持台３３０側に押し当て部３３１を配置し、該押し当て部３３１を受け部３３２側に回転して押し当てを行うことで、シートＳに折り曲げ部を形成することが可能になっている。また、折り部３３には、上記支持台３３０、押し当て部３３１および受け部３３２によって折り曲げ部を形成したシートＳを前記折り曲げ部を先頭側にして通過させることで折りを完了させる対の押圧ローラ３３３を備えている。該押圧ローラ３３３、３３３の通過によって加工完了前のシートファイルＦは、図６（ａ）に示すように折り曲げ部Ｆ０が形成され、側端が溶着位置Ｆ１に予定されている。
【００４２】
折り部３３で折り処理が完了したシートＳと用紙Ｐは、図５に示すように、溶着部３４に搬送されて折り曲げられたシートＳの対向するシート片の一縁辺、すなわち溶着位置Ｆ１を溶着する。
溶着部３４には、対向するシート片の一縁辺を上下から挟んで押圧しつつ加熱する対の加熱部３４０を有しており、該加熱部３４０は押圧したシート片を加熱して押圧部分でシート片同士を溶着、すなわち接着する。したがって、該溶着部３４は本発明の接着部に相当する。なお、シート片同士の接着は、既述したように溶着に限定されるものではなく、超音波接着などによって行うものであってもよい。
上記溶着に際し、シート片同士に挟まれた用紙Ｐは、溶着部３４で溶着されるシート片の溶着位置とは反対側に位置する基準側に用紙端縁が揃うように配置されているため、溶着位置と干渉することはなく、溶着が支障なく行われる。この溶着によって、図６（ｂ）に示すように折り曲げ部Ｆ０、溶着位置Ｆ１を有し、加工処理が終了したシートファイルＦが得られる。
用紙が収納されたシートファイルは、その後、排出部３５に搬送され、適宜シートファイル処理装置３０外に排出される。
上記のように画像形成装置１０で印刷された用紙Ｐは、シート供給装置２０において供給されるシートＳともにインラインでシートファイル処理装置３０に搬送され、シートファイルの加工に供されて効率よくシートファイルの加工および用紙の収納がなされる。
【００４３】
上記実施形態では、シートのスタックと用紙のスタックとを共通のスタック部で行うものとして説明したが、それぞれを個別のスタック部で行うようにしてもよい。この実施形態を図７、８において説明する。
【００４４】
シートファイル処理装置４０は、用紙搬送部４１とシート搬送部４２とを備え、用紙搬送部４１には上流側で用紙スタック部４３、用紙配置部４４が順次介設されてクリアファイルスタック＆折り部４５に至っており、シート搬送部４２は前記クリアファイルスタック＆折り部４５に至っている。クリアファイルスタック＆折り部４５の下流側に溶着部４６が備えられ、その下流側で排出部４７が備えられている。
また、シートファイル処理装置４０には、該シートファイル処理装置４０全体を制御するシートファイル処理制御部４８を備えており、該シートファイル処理制御部４８は、前記実施形態と同様に画像形成装置の画像形成制御部によって制御される。
【００４５】
用紙スタック部４３では、用紙搬送部４１で搬送される設定枚数の用紙Ｐがスタックされる。該用紙Ｐは、前記実施形態と同様に前段の画像形成装置から供給されるものであってもよく、また、シートファイル処理装置４０内に収容されて供給されるものであってもよい。
一方、シート搬送部４２で搬送されるシートＳは、前記実施形態と同様に前段のシート供給装置から供給されるものであってもよく、また、シートファイル処理装置４０内に収容されて供給されるものであってもよい。該シートＳは、シート搬送部４２で搬送されて、図８（ａ）に示すように、クリアファイルスタック＆折り部４５で所定位置にスタックされる。
【００４６】
上記シートＳに対し、図８（ｂ）に示すように、クリアファイルスタック＆折り部４５では、シートＳの中央部を基準にして折り処理を行うとともに、用紙配置部４４によって、スタックされた用紙をシートＳの折り曲げ部分に突き当てるように配置する。これにより用紙Ｐが加工終了前のシートファイルに収納された状態になる。なお、用紙Ｐは、予定される溶着位置Ｆ１の反対側のシート端を基準にして、該基準側に用紙Ｐの端縁が揃うように位置合わせされ、また、用紙Ｐの他の端縁は、折り曲げ部Ｆ０に突き当たるように配置される。これにより用紙Ｐは溶着位置Ｆ１との干渉が回避される。
加工終了前の上記クリアファイルは、前記実施形態と同様に溶着部４６においてシート片の一縁片、すなわち溶着位置Ｆ１を溶着する。すなわち、シート片の２縁片が開放され、他の２縁片が折り曲げと溶着とで連結されたクリアファイルＦが得られる。加工終了したクリアファイルＦは排出部４７に搬送され、該排出部４７を介してクリアファイル処理装置４０外に適宜排出される。
【００４７】
次に、上記シートファイル処理装置３０における処理手順について図９のフローチャートに基づいて説明する。該処理手順は、シートファイル処理制御部３６によって実行される。
シートファイルとしてクリアファイルの作成処理が開始すると、モードの確認がなされる（ステップｓ１）。モードの設定は、画像形成装置１０において操作表示部６において選択入力することができる。該選択結果は、画像形成制御部７を通してシートファイル処理制御部３６に通知されている。
なお、モードの選択では、クリアファイルに対する用紙挿入なしの場合、モード１が設定され、クリアファイルに対する用紙挿入ありの場合、モード２が設定される。
【００４８】
上記モードの確認後、搬送部３１によってクリアファイル用のシートＳが搬送される（ステップｓ２）。その後、モード１が選択されている場合（ステップｓ３、モード１）、スタック部３２でクリアファルシートのスタック処理が完了する（ステップｓ６）。
モード２が選択されている場合（ステップｓ３、モード２）、挿入すべき用紙Ｐを前記搬送部３１によって搬送し（ステップｓ４）、最終用紙の搬送完了（ステップｓ５）によって、クリアファイル用のシートＳおよび用紙Ｐのスタックを完了する（ステップｓ６）。なお、この際に用紙Ｐは、シートＳに対し、所定の位置に配置されている。
【００４９】
モード１およびモード２ともに、ステップｓ６後は、シートを折り部３３に搬送してシートＳの折り処理を実行する（ステップｓ７）。モード２の場合は、シート片間に用紙が挿入された状態で上記折り処理がなされ、モード１の場合は、シート片間に用紙がない状態でシート片同士の溶着がなされる。折り処理をしたシートは溶着部３４に搬送され、シート片の一縁片の溶着処理が実行される（ステップｓ８）。モード２の場合、用紙はシート片間に挿入されたままで溶着処理がなされる。これにより加工処理が終了したクリアファイルが得られ、排出部３５においてクリアファイルの排出がなされ（ステップｓ９）、処理を終了する。
【００５０】
次に、上記シートファイル処理装置４０における処理手順について図１０のフローチャートに基づいて説明する。該処理手順は、シートファイル処理制御部４８によって実行される。
クリアファイル作成処理が開始すると、モードの確認がなされる（ステップｓａ１）。モードの設定は、画像形成装置１０において操作表示部６において選択入力され、選択結果が、画像形成制御部７を通してシートファイル処理制御部４８に通知されるものであってもよく、また、シートファイル処理装置４０において該モードの選択操作が可能になっているものであってもよい。
この例でも、クリアファイルに対する用紙挿入なしの場合にモード１が設定され、クリアファイルに対する用紙挿入ありの場合にモード２が設定される。
【００５１】
上記モードの確認後、クリアファイル用のシートがシート搬送部４２によって搬送され、クリアファイルスタック＆折り部４５でシートのスタックがなされる（ステップｓａ２）。その後、モード１が選択されている場合（ステップｓａ３、モード１）、クリアファイルスタック＆折り部４５でスタッカが下降し、スタックされているシートの折り処理がなされる（ステップｓａ７）。
モード２が選択されている場合、用紙搬送部４１によって挿入用紙を搬送し、用紙スタック部４３でスタックし（ステップｓａ４）、最終用紙の搬送完了（ステップｓａ５）によって、挿入用紙のスタックを完了し、スタックされた用紙をシートに対し位置合わせするように配置する（ステップｓａ６）。次いで、ステップｓａ７に移行し、用紙を挿入した状態でシートの折り処理を行う。
モード１、２ともにステップｓａ７後は、折り処理されたシートを溶着部４６に搬送してシート片同士の溶着処理を実行する（ステップｓａ８）。モード２の場合は、シート片間に用紙が挿入された状態で溶着処理がなされ、モード１の場合は用紙の挿入がないままシート片同士の溶着がなされる。ステップｓａ８によって加工処理が終了したクリアファイルが得られ、クリアファイルの排出がなされ（ステップｓａ９）、処理を終了する。
【００５２】
以上、本発明について上記実施形態に基づいて説明したが、本発明は上記実施形態の内容に限定されるものではなく、本発明の範囲を逸脱しない限りは適宜の変更が可能である。
【符号の説明】
【００５３】
１  画像形成システム
７  画像形成制御部
１０  画像形成装置
２０  シート供給装置
３０  シートファイル処理装置
３６  シートファイル処理制御部
４０  シートファイル処理装置
４８  シートファイル処理制御部
【図１】
2012101891.tif 000003
【図２】
2012101891.tif 000004
【図３】
2012101891.tif 000005
【図４】
2012101891.tif 000006
【図５】
2012101891.tif 000007
【図６】
2012101891.tif 000008
【図７】
2012101891.tif 000009
【図８】
2012101891.tif 000010
【図９】
2012101891.tif 000011
【図１０】
2012101891.tif 000012